(57)【要約】【課題】  この発明は、電子機器の筐体からその一部が突出した回転スイッチを含む電子部品において、回転スイッチに力がかかることによる応力変形を防止することを目的としている。【解決手段】  この発明に係る回転スイッチ装置を有する電子部品は、電子機器の筐体からその一部が突出するように構成される回転スイッチ装置（２０）と、前記回転スイッチ装置（２０）を保持する回転スイッチ装置保持部（１００）、平板形状からなる平板部、前記平板部の外周に設けられる第１の接合部（２１）、前記回転スイッチ装置保持部（１００）の下方に位置する第２の接合部（４０、５０、６０）を備え、前記回転スイッチ装置（２０）を回動可能に装着するベース部（３０）と、前記ベース部（３０）に対して前記第１の接合部（２１）および前記第２の接合部（４０、５０、６０）で接合される基板（３５）を備えるように構成している。【選択図】      図３
2008204814.tif 000002
【特許請求の範囲】
【請求項１】
回転スイッチ装置を有する電子部品において、
電子機器の筐体からその一部が突出するように構成される回転スイッチ装置と、
前記回転スイッチ装置を保持する回転スイッチ装置保持部、平板形状からなる平板部、前記平板部の外周に設けられる第１の接合部、前記回転スイッチ装置保持部の下方に位置する第２の接合部を備え、前記回転スイッチ装置を回動可能に装着するベース部と、
前記ベース部に対して前記第１の接合部および前記第２の接合部で接合される基板を備えることを特徴とする電子部品。
【請求項２】
回転スイッチ装置を有する電子部品において、
電子機器の筐体からその一部が突出するように構成される回転スイッチ装置と、
前記回転スイッチ装置を保持する回転スイッチ装置保持部、平板形状からなる平板部、前記平板部の外周に設けられる第１の接合部、前記回転スイッチ装置保持部の下方に位置する第２の接合部を備え、前記回転スイッチ装置を回動可能に装着するベース部と、
孔を備え、前記ベース部に対して前記第１の接合部および前記第２の接合部で接合され、前記第２の接合部は前記孔に接合される基板を備えることを特徴とする電子部品。
【請求項３】
前記第１の接合部および前記第２の接合部は接合材を介して前記基板と前記ベースを接合することを特徴とする請求項１に記載の電子部品。
【請求項４】
前記接合材は半田、接着剤、ネジ止めのいずれかであることを特徴とする請求項１乃至２に記載の電子部品。
【請求項５】
前記第２の接合部は前記基板に接続する凸部を備え、前記ベースと係合することを特徴とする請求項１に記載の電子部品。
【請求項６】
回転スイッチ装置を有する電子機器において、
電子機器の筐体と、
前記電子機器の筐体からその一部が突出するように構成される回転スイッチ装置と、
前記回転スイッチ装置を保持する回転スイッチ装置保持部、平板形状からなる平板部、前記平板部の外周に設けられる第１の接合部、前記回転スイッチ装置保持部の下方に位置する第２の接合部を備え、前記回転スイッチ装置を回動可能に装着するベース部と、
前記ベース部に対して前記第１の接合部および前記第２の接合部で接合される基板を備えることを特徴とする電子機器。
【請求項７】
回転スイッチ装置を有する電子機器において、
電子機器の筐体と、
前記電子機器の筐体からその一部が突出するように構成される回転スイッチ装置と、
前記回転スイッチ装置を保持する回転スイッチ装置保持部、平板形状からなる平板部、前記平板部の外周に設けられる第１の接合部、前記回転スイッチ装置保持部の下方に位置する第２の接合部を備え、前記回転スイッチ装置を回動可能に装着するベース部と、
孔を備え、前記ベース部に対して前記第１の接合部および前記第２の接合部で接合され、前記第２の接合部は前記孔に接合される基板を備えることを特徴とする電子機器。
【発明の詳細な説明】
【技術分野】
【０００１】
この発明は、電子部品に係り、特に回転スイッチを有する電子部品に関する。
【背景技術】
【０００２】
パーソナルコンピュータ（以下、「ＰＣ」ともいう。）等の電子機器には、音量の制御を行うボリュームスイッチ等の回転スイッチを備えているものがある。
この回転スイッチはユーザの操作性を向上させるために、電子機器の筐体からその一部が突出するように構成されるものがある。これらは通常の操作では不具合が生じないように製造される。しかし、例えば電子機器を落下させた場合に、この突出した部分（突出部）が地面に当たると、電子機器の自重に相当する強い衝撃を受けることになる。また、衝突等によっても、この回転スイッチの突出部に予期しない強い力がかかることがある。回転スイッチの突出部にこのような強い力（応力）がかかると、応力によって回転スイッチが変形し、場合によっては操作不可能となることがある。このため、回転スイッチの応力変形を防止する対策が望まれている。
【０００３】
特許文献１には、チップ状半固定抵抗器に関し、カシメ部の中空部分が樹脂材で閉塞される技術が開示されている。これは、カシメ部の穴を樹脂でふさぐことにより、カシメ部へ半田が流入することによるショート防止と、吸着性を改善する技術である。
【０００４】
しかし、この特許文献１では、回転スイッチの応力変形を防止することが開示されておらず、実用化の点で開示が十分ではないという問題があった。
【特許文献１】実開平6−2607
【発明の開示】
【発明が解決しようとする課題】
【０００５】
そこで、この発明は、上記事情を考慮してなされたもので、電子機器の筐体からその一部が突出した回転スイッチを含む電子部品において、回転スイッチに力がかかることによる応力変形を防止することを目的としている。
【課題を解決するための手段】
【０００６】
この発明に係る電子部品は、電子機器の筐体からその一部が突出するように構成される回転スイッチ装置と、前記回転スイッチ装置を保持する回転スイッチ装置保持部、平板形状からなる平板部、前記平板部の外周に設けられる第１の接合部、前記回転スイッチ装置保持部の下方に位置する第２の接合部を備え、前記回転スイッチ装置を回動可能に装着するベース部と、前記ベース部に対して前記第１の接合部および前記第２の接合部で接合される基板を備えるように構成している。
【０００７】
この発明に係る電子機器は、電子機器の筐体と、前記電子機器の筐体からその一部が突出するように構成される回転スイッチ装置と、前記回転スイッチ装置を保持する回転スイッチ装置保持部、平板形状からなる平板部、前記平板部の外周に設けられる第１の接合部、前記回転スイッチ装置保持部の下方に位置する第２の接合部を備え、前記回転スイッチ装置を回動可能に装着するベース部と、前記ベース部に対して前記第１の接合部および前記第２の接合部で接合される基板を備えるように構成している。
【発明の効果】
【０００８】
上記した構成によれば、電子機器の筐体から突出した回転スイッチを含む電子部品の、応力による変形を防止することが可能となる。
【発明を実施するための最良の形態】
【０００９】
以下、図面を参照してこの発明の実施の形態を説明する。
図１はこの発明の実施の形態に係る電子機器を示す斜視図である。
符号1０はＰＣ（パーソナルコンピュータ）、符号１１はコンピュータ本体、符号１２はディスプレイユニット、符号は１３キーボード、符号１４はパワーボタン、符号１５は入力操作パネル、符号１６はタッチパッド、符号１７はＬＣＤ、符号１８はヒンジ、符号１９はスピーカ、符号２０は回転スイッチ装置である。ＰＣ１０は、コンピュータ本体１１と、ディスプレイユニット１２で構成されている。
【００１０】
ディスプレイユニット１２には、例えばＴＦＴ−ＬＣＤ（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ）１７から構成される表示装置が組み込まれている。ヒンジ１８は、ディスプレイユニット１２とコンピュータ本体１１を、開放位置と閉塞位置との間で回動自在に取り付けられている。
【００１１】
コンピュータ本体１１は薄い箱形の筐体を有しており、その上面又は側面にはキーボード（ＫＢ）１３、ＰＣ１０の電源をオン／オフするためのパワーボタン１４、入力操作パネル１５、タッチパッド１６、スピーカ１９、および回転スイッチ装置２０などを実装している。
【００１２】
図２はこの発明の実施の形態に係る電子機器の電子部品の一部を示す外観図である。
回転スイッチ装置２０は、後述するベース部３０と係合している。ベース部３０は平板形状からなる平板部を備えている。そして、平板部の外周には符号２１を付した第１の接合部（半田付け部）が設けられている。ここでは、後述する基板との係合性を高めるために第１の接合部２１が２箇所設けられている。
【００１３】
図３はこの発明の実施の形態に係る電子機器の電子部品の断面構造を示す断面図である。これは、図２に示す電子部品の外観図におけるＡ−Ａ‘断面を示している。
符号２０は回転スイッチ部（つまみ）、符号2１は第１の接合部（はんだ付け部）、符号3０はベース部、符号３２は抵抗体部、符号３３は絶縁体部、符号3５は基板、符号4０は第２の接合部（はんだ付け部）、符号１００はベース部3０に設けられ回転スイッチ装置を保持する回転スイッチ装置保持部である。
【００１４】
図示するように、ベース部3０は平板部を備えている。ここでは、この平板部は、第１の接合部（はんだ付け部）2１を２箇所備えている。
そしてベース部3０は、回転スイッチ部（つまみ）２０、抵抗体部３２、絶縁体部３３をカシメることによって保持する回転スイッチ装置保持部１００を備えている。
【００１５】
基板3５は孔を備えており、図示するように、ベース部3０の一部が装着される。ベース部3０は点線で示す回動中心部を備えており、この回動中心部は少なくとも平板部の一部に設けられる。このとき、回動中心部と基板の孔は第２の接合部４０で接合される。すなわち、回動中心部は、回転スイッチ部（つまみ）２０が回動する際の、実質的な中心としてベース部３０に回動可能に装着される。
【００１６】
このとき、回転スイッチ装置２０を含む電子部品は電子機器に内蔵されるが、ユーザが操作し易いように、電子機器の筐体からその一部が突出するように構成される。
【００１７】
そして、基板３５とベース３０は、少なくとも第１の接合部２１と第２の接合部４０の両者で接合される。第２の接合部（４０）は回転スイッチ装置保持部１００の下方に位置する。
【００１８】
基板３５とベース３０の接合を第１の接合部２１だけにすると、回動中心部と第１の接合部２１の間の距離に比例する回転モーメントが発生する。この回動中心部と第１の接合部２１の間の距離によって、回転スイッチ装置２０を強い力で回すとベース部３０が変形する恐れがある。すると、電子部品の高さが変わり、例えば、回転スイッチ装置２０が電子機器の筐体に接触し、回転しにくくなる等の不具合が発生する恐れがある。
【００１９】
そこで、この発明の実施の形態においては、基板３５とベース３０の接合を、回転スイッチ装置保持部１００の下方に位置する第２の接合部４０も加えることによって、第１の接合部２１と第２の接合部４０の両者で接合する。これによって、基板３５とベース３０の接合が強固になり、回転スイッチ２０の応力変形を防止することが可能となる。
【００２０】
尚、ここでは、基板３５と第１の接合部２１および第２の接合部４０との接合材は、半田を用いているが、接着剤やネジ止めで行うことも可能である。
図４はこの発明の実施の形態に係る電子機器の電子部品における応力のようすを説明する図である。
例えば、図に示すように、回転スイッチ装置（つまみ）２０を押し込むような応力がかかると、回転スイッチ部（つまみ）２０、抵抗体部３２、絶縁体部３３をカシメるベース部3０のカシメ部にかかる応力が下部の第２の接合部４０に働く。しかし、この発明の実施の形態においては、第２の接合部４０で基板３５とベース３０を接合しているので、回転スイッチ２０の応力変形を防止することができる。
【００２１】
図５はこの発明の、他の実施の形態に係る電子機器の電子部品の断面構造を示す断面図である。
図３と同様、図２に示す電子部品の外観図におけるＡ−Ａ‘断面を示している。
符号５０は第２の接合部（はんだ付け部）である。図３と同一の構成については説明を省略する。
ここでも、ベース部3０は平板部を備えている。平板部は、第１の接合部（はんだ付け部）2１を２箇所備えている。
そしてベース部3０は、回転スイッチ部（つまみ）２０、抵抗体部３２、絶縁体部３３をカシメ、これらを保持している（カシメ部）。
図３と異なり、基板3５は孔を備えていない。ベース部3０の一部は平面の基板3５上に装着される。上記と同様に、ベース部3０は点線で示す回動中心部を備えている。この回動中心部は少なくともベース部3０の平板部に設けられる。このとき、回動中心部と基板３５は第２の接合部５０で接合される。回動中心部は、回転スイッチ部（つまみ）２０が回動する際の、実質的な中心としてベース部３０に回動可能に装着される。
【００２２】
このとき、回転スイッチ装置２０を含む電子部品は電子機器に内蔵されるが、ユーザが操作し易いように、電子機器の筐体からその一部が突出するように構成される。
【００２３】
そして、基板３５とベース３０は、第１の接合部２１に加え、第２の接合部５０で接合される。第２の接合部（５０）は回転スイッチ装置保持部１００の下方に位置する。
【００２４】
この発明の実施の形態においては、基板３５とベース３０の接合に、回転スイッチ装置保持部１００の下方に位置する第２の接合部５０を用いる。これによって、基板３５とベース３０の接合が強固になり、回転スイッチ２０の応力変形を防止することが可能となる。
【００２５】
尚、基板３５と第１の接合部２１および第２の接合部５０との接合材は、半田を用いているが、接着剤やネジ止めで行うことも可能である。
図６はこの発明の、他の実施の形態に係る電子機器の電子部品における応力のようすを説明する図である。
図に示すように、回転スイッチ装置（つまみ）２０を押し込むような応力がかかると、回転スイッチ部（つまみ）２０、抵抗体部３２、絶縁体部３３をカシメるベース部3０のカシメ部にかかる応力がカシメ部下部の第２の接合部５０に働く。しかし、この発明の実施の形態においては、回転スイッチ装置保持部１００の下方に位置する第２の接合部５０で基板３５とベース３０を接合しているので、回転スイッチ２０の応力変形を防止することができる。
【００２６】
図７はこの発明の、他の実施の形態に係る電子機器の電子部品の断面構造を示す断面図である。
ここでも図３と同様、図２に示す電子部品の外観図におけるＡ−Ａ‘断面を示している。
符号６０は基板3５に設けられる凸部である。図３と同一の構成については説明を省略する。
ここでも、ベース部3０は平板部を備えている。平板部は、第１の接合部（はんだ付け部）2１を２箇所備えている。
そしてベース部3０は、回転スイッチ部（つまみ）２０、抵抗体部３２、絶縁体部３３をカシメ、これらを保持している（回転スイッチ装置保持部１００）。
ベース部3０の基板3５上の凸部６０に装着され、接合される。ここでも、ベース部3０は点線で示す回動中心部を備えている。この回動中心部は少なくともベース部3０の平板部に設けられる。このとき、回動中心部と基板３５は第２の接合部（凸部６０）で接合される。回動中心部は、回転スイッチ部（つまみ）２０が回動する際の、実質的な中心としてベース部３０に回動可能に装着される。
【００２７】
このとき、回転スイッチ装置２０を含む電子部品は電子機器に内蔵されるが、ユーザが操作し易いように、電子機器の筐体からその一部が突出するように構成される。
【００２８】
そして、基板３５とベース３０は、第１の接合部２１に加え、回転スイッチ装置保持部１００の下方に位置する第２の接合部（凸部６０）で接合される。
この発明の実施の形態においては、基板３５とベース３０の接合に、回転スイッチ装置保持部１００の下方に位置する第２の接合部（凸部６０）を用いる。これによって、基板３５とベース３０の接合が強固になり、回転スイッチ２０の応力変形を防止することが可能となる。
【００２９】
特に図示しないが、回転スイッチ装置（つまみ）２０を押し込むような応力がかかると、回転スイッチ部（つまみ）２０、抵抗体部３２、絶縁体部３３をカシメるベース部3０のカシメ部にかかる応力がカシメ部下部の第２の接合部（凸部６０）に働く。しかし、この発明の実施の形態においては、回転スイッチ装置保持部１００の下方に位置する第２の接合部（凸部６０）で基板３５とベース３０を接合しているので、回転スイッチ２０の応力変形を防止することができる。
【００３０】
すなわち、この発明の実施の形態においては、電子機器の筐体（１１）と、前記電子機器の筐体（１１）からその一部が突出するように構成される回転スイッチ装置（２０）と、前記回転スイッチ装置（２０）を保持する回転スイッチ装置保持部（１００）、平板形状からなる平板部、前記平板部の外周に設けられる第１の接合部（２１）、前記回転スイッチ装置保持部（１００）の下方に位置する第２の接合部（４０、５０、６０）を備え、前記回転スイッチ装置（２０）を回動可能に装着するベース部（３０）と、前記ベース部（３０）に対して前記第１の接合部（２１）および前記第２の接合部（４０、５０、６０）で接合される基板（３５）を備えるように構成している。
【００３１】
上記のように構成することによって、この発明の実施の形態においては、電子機器の筐体から突出した回転スイッチを含む電子部品の、応力による変形を防止することが可能となるという効果がある。
【００３２】
尚、この発明は上記した実施の形態そのままに限定されるものではなく、実施段階ではその趣旨を逸脱しない範囲で構成要素を種々変形して具体化することが可能である。
【図面の簡単な説明】
【００３３】
【図１】この発明の実施の形態に係る電子機器を示す斜視図。
【図２】この発明の実施の形態に係る電子機器の電子部品の一部を示す外観図。
【図３】この発明の実施の形態に係る電子機器の電子部品の断面構造を示す断面図。
【図４】この発明の実施の形態に係る電子機器の電子部品における応力のようすを説明する図。
【図５】この発明の、他の実施の形態に係る電子機器の電子部品の断面構造を示す断面図。
【図６】この発明の、他の実施の形態に係る電子機器の電子部品における応力のようすを説明する図。
【図７】この発明の、他の実施の形態に係る電子機器の電子部品の断面構造を示す断面図。
【符号の説明】
【００３４】
２０…回転スイッチ部、2１…第１の接合部（はんだ付け部）、3０…ベース部、3５…基板、4０…第２の接合部（はんだ付け部）、５０…第２の接合部（はんだ付け部）、６０…第２の接合部（凸部）。
【図１】
2008204814.tif 000003
【図２】
2008204814.tif 000004
【図３】
2008204814.tif 000005
【図４】
2008204814.tif 000006
【図５】
2008204814.tif 000007
【図６】
2008204814.tif 000008
【図７】
2008204814.tif 000009